(57)【要約】【課題】スタンド等のＬ字状物品を簡単に梱包できる段ボール箱を提供する。【解決手段】スタンド３１を載せる底面板１の一端に立面板２を連設すると共に、底面板１の両側に底側板３及び底蓋板４を、立面板２の両側に立側板５及び立蓋板６をそれぞれ順次連設し、スタンド３１の下台部３２を包み込むように底側板３及び底蓋板４を折り曲げて、底蓋板４の先端部同士を係合させ、また、立面板２を起立させ、スタンド３１の立上部３３を包み込むように立側板５及び立蓋板６を折り曲げて、立蓋板６の先端部同士を係合させるようにする。【選択図】図１
2005297999.tif 000002
【特許請求の範囲】
【請求項１】
Ｌ字状の物品を載せる底面板の一端に立面板を連設すると共に、底面板の両側に底側板及び底蓋板を、立面板の両側に立側板及び立蓋板をそれぞれ順次連設し、物品の下台部を包み込むように底側板及び底蓋板を折り曲げて、底蓋板の先端部同士を係合させ、また、立面板を起立させ、物品の立上部を包み込むように立側板及び立蓋板を折り曲げて、立蓋板の先端部同士を係合させるようにした梱包箱。
【請求項２】
前記底蓋板の立面板側に立添板を、立蓋板の下端に底添板をそれぞれ連設し、立添板を物品の立上部に沿って起立させ、底添板を底蓋板の上面に重ねて、底添板の先端部同士を係合させるようにした請求項１に記載の梱包箱。
【発明の詳細な説明】
【技術分野】
【０００１】
この発明は、ディスプレイ用スタンド等のＬ字状物品の梱包箱に関するものである。
【背景技術】
【０００２】
近年、プラズマディスプレイや液晶ディスプレイを採用したテレビが主流になりつつあり、このようなテレビのディスプレイ用スタンドには、ブラウン管テレビ用の箱型のものではなく、側面から見てＬ字状のものが使用される場合が多い。
【０００３】
このようなスタンドを梱包する際、周壁の対向する側板がスタンドに対応してＬ字状となった段ボール箱を使用しようとすると、箱を組み立ててからでは、側板の段部を繋ぐ端板に遮られて、天面側からスタンドを収納することができない。
【０００４】
その対策として、スタンドを袋状のシート材で包み込んだ状態で、ディスプレイと共に外箱に収納し、外箱内でスタンドが移動しないように、発泡スチロール等から成る緩衝材を挿入して、スタンドを保持する梱包形態が考えられる。
【発明の開示】
【発明が解決しようとする課題】
【０００５】
しかしながら、このような梱包形態では、梱包に手間がかかるだけでなく、高価なプラズマディスプレイ等を保護する梱包体として、十分な緩衝性が得られない場合もある。
【０００６】
そこで、この発明は、緩衝性に優れた段ボール等を材料として、Ｌ字状物品を簡単に梱包できる箱を提供することを課題とする。
【課題を解決するための手段】
【０００７】
上記課題を解決するため、この発明に係る梱包箱では、Ｌ字状の物品を載せる底面板の一端に立面板を連設すると共に、底面板の両側に底側板及び底蓋板を、立面板の両側に立側板及び立蓋板をそれぞれ順次連設し、物品の下台部を包み込むように底側板及び底蓋板を折り曲げて、底蓋板の先端部同士を係合させ、また、立面板を起立させ、物品の立上部を包み込むように立側板及び立蓋板を折り曲げて、立蓋板の先端部同士を係合させることとしたのである。
【０００８】
また、前記底蓋板の立面板側に立添板を、立蓋板の下端に底添板をそれぞれ連設し、立添板を物品の立上部に沿って起立させ、底添板を底蓋板の上面に重ねて、底添板の先端部同士を係合させるようにしたのである。
【発明の効果】
【０００９】
このような梱包箱では、Ｌ字状の物品の下台部及び立上部を、それぞれ包み込むようにして、箱全体を組み立てていくので、物品がＬ字状であっても、簡単に収納することができ、優れた緩衝性を得ることができる。また、立添板及び底添板を設けたものでは、立面板の揺動が防止され、箱自体の保形性が向上する。
【発明を実施するための最良の形態】
【００１０】
以下、この発明の実施形態を添付図面に基づいて説明する。
【００１１】
図１に示す梱包箱２１は、プラズマディスプレイ本体を支えるスタンド３１を収納する段ボール製のものであり、輸送用の梱包体を形成する際には、図２に示すように、発泡スチロール製の緩衝材２２で四隅が保持されるプラズマディスプレイ本体の梱包箱２３と共に、底トレー２４に挿入され、その上方から底面が開口した外カバー２５が被せられて、底トレー２４と外カバー２５とが図示省略したジョイント具で一体化される。
【００１２】
この梱包箱２１の段ボール製ブランクでは、図３に示すように、底面板１の一端に立面板２が連設され、底面板１の両側に底側板３及び底蓋板４が、立面板２の両側に立側板５及び立蓋板６がそれぞれ順次連設されている。
【００１３】
前記底蓋板４の立面板２側には立添板７が、立蓋板６の下端には底添板８がそれぞれ連設され、立側板５の上端には折曲片９が、立蓋板６の上端には内蓋板１０が、立面板２の上端には中央で分割された外蓋板１１がそれぞれ連設されている。
【００１４】
また、一方の底蓋板４、立蓋板６及び底添板８の外側縁にはテーパ状に先端側が広がった係合片１２が、他方の底蓋板４、立蓋板６及び底添板８の外側縁には係合片１２に対応する形状の切込１３がそれぞれ設けられ、外蓋板１１の先端縁には差込片１４が、内蓋板１０にはスリット１５がそれぞれ設けられている。
【００１５】
上記ブランクを組み立ててスタンド３１を梱包するには、図４に示すように、スタンド３１を底面板１に載せ、スタンド３１の下台部３２を包み込むように底側板３及び底蓋板４を折り曲げて、係合片１２と切込１３の噛合により、底蓋板４の先端部同士を係合させる。また、立添板７をスタンド３１の立上部３３の前面に沿って起立させる。
【００１６】
次に、立面板２をスタンド３１の立上部３３の後面に沿って起立させ、立上部３３を包み込むように立側板５及び立蓋板６を折り曲げて、係合片１２と切込１３の噛合により、立蓋板６の先端部同士を係合させる。
【００１７】
そして、図１に示すように、底添板８を底蓋板４の上面に重ねて、係合片１２と切込１３の噛合により、底添板８の先端部同士を係合させ、折曲片９を内側へ折り曲げ、内蓋板１０に外蓋板１１を重ね、差込片１４をスリット１５に差し込んで封緘する。
【００１８】
このような梱包箱では、スタンド３１の下台部３２及び立上部３３を、それぞれ包み込むようにして、箱全体を組み立てていくので、Ｌ字状のスタンド３１を簡単に収納することができ、優れた緩衝性を得ることができる。また、立添板７及び底添板８により、立面板２の揺動が防止され、箱自体の形状が安定する。
【００１９】
また、図３に示すように、この梱包箱のブランクは、縦方向と横方向の寸法差が小さい長方形状となっており、抜き落とす部分も少ないので、材料の段ボールシートを効率よく利用して製造することができ、包装コストを削減することができる。
【図面の簡単な説明】
【００２０】
【図１】この発明の実施形態に係る梱包箱の梱包状態を示す斜視図
【図２】同上の梱包箱によるプラズマディスプレイの梱包体を示す斜視図
【図３】同上の梱包箱のブランクを示す図
【図４】同上の梱包過程を示す斜視図
【符号の説明】
【００２１】
１  底面板
２  立面板
３  底側板
４  底蓋板
５  立側板
６  立蓋板
７  立添板
８  底添板
９  折曲板
１０  内蓋板
１１  外蓋板
１２  係合片
１３  切込
１４  差込片
１５  スリット
【図１】
2005297999.tif 000003
【図２】
2005297999.tif 000004
【図３】
2005297999.tif 000005
【図４】
2005297999.tif 000006